(57)【要約】本発明は、左右側用の第１のテープ１及び第２のテープ２と、前記第１のテープ１及び第２のテープ２の上部に粘着される２つの「ｎ」字状の第３のテープ３とで構成された二重まぶたしわ形成用のテープに関する。【選択図】  図１
2016530901.tif 000002
【特許請求の範囲】
【請求項１】
二重まぶたしわ形成用テープにおいて、左右側用の第１のテープ１及び第２のテープ２と、前記第１のテープ１及び第２のテープ２の上部に粘着される２つの「ｎ」字状の第３のテープ３と、で構成されることを特徴とする二重まぶたしわ形成用テープ。
【請求項２】
前記「ｎ」字状の第３のテープ３は、「ｎ」字状であり、第１のテープ１及び第２のテープ２の上部に位置され、裏面に接着剤が塗布された第３のテープ上部５と、目の両側面の外側に位置され、裏面に接着剤が塗布されていない第３のテープ中間部６と、下側まぶた１３の下部に粘着され、裏面に接着剤が塗布された第３のテープ下部４、７と、で構成されることを特徴とする請求項１に記載の二重まぶたしわ形成用テープ。
【発明の詳細な説明】
【技術分野】
【０００１】
本発明は、目の上の二重まぶた部位に粘着し、二重まぶたを形成させる一次状または半月状の第１のテープ及び第２のテープと、２つの「ｎ」字状の第３のテープとで構成された二重まぶたしわ形成用テープに関する。
【背景技術】
【０００２】
一般に、二重まぶた形成用テープは、主に女性が二重まぶた形成のために広く用いるものであって、二重まぶたがなく、または二重まぶたがあっても、片目だけあったり、または二重まぶたのラインが鮮明でなく、または二重まぶたのラインが形成されているが、そのラインが綺麗ではない女性が、美しい二重まぶたを形成するために用いてきた。
【０００３】
このような二重まぶた形成用テープは、透明なビニル素材のテープの一面に人体に無害な接着剤が塗布され、接着台紙に粘着され、半月状にカットされ、使用時、個々の二重まぶた形成用テープを粘着台紙から剥がして用いるようになる。
【０００４】
特許文献１には、左上部リム、右上部リム、ブリッジで構成され、前記ブリッジが前記左上部リムと前記右上部リムを連結させて構成する、上まぶたにおいて二重まぶたしわを生成するための二重まぶた形成装置が公開されている。
特許文献２には、二重まぶたテープ２０をまぶた２に粘着する場合、異物感が殆ど感じられず、長時間粘着しても、まぶた２に疲労を与えず、また形成された二重まぶた１が自然に長時間維持されるように、二重まぶたテープ２０の両面に医療用接着剤層２２、２３を塗布した二重まぶたテープ２０が公開されている。
特許文献３には、接着台紙の上面に多数個の微細孔と切線部が形成された二重まぶたテープにおいて、前記テープを、形状の切線部を上下または左右に配列して形成することを特徴とする二重まぶたテープが記載されている。
特許文献４には、半月状となり、その一面には、接着剤が塗布され、接着台紙の上面に粘着させる二重まぶた成形用テープにおいて、二重まぶた成形用テープをシリコン材質で半月状に構成するが、半月状の各角部位を丸めて形成し、色相を肌色に着色してなる二重まぶた成形用テープが公開されている。
特許文献５には、基板１の上面に印刷層４を形成し、前記印刷層４の上面に輝く素材の表面処理剤５を塗布し、表面処理剤５の上面にコート液６を塗布して形成された二重まぶたテープが公開されていることが分かる。
【先行技術文献】
【特許文献】
【０００５】
特許文献１：米国登録特許第０７，４８４，８４６号（２００９．２．３）公報
特許文献２：大韓民国登録実用新案第２００３８１１２６００００号（２００５．３．３０．）公報
特許文献３：大韓民国登録実用新案第２００２４９０３５００００号（２００１．９．２１．）公報
特許文献４：大韓民国登録実用新案第２００２７４５８１００００号（２００２．４．２５．）公報
特許文献５：大韓民国登録実用新案第２００２００２８６００００号（２０００．８．８．）公報
【発明の概要】
【発明が解決しようとする課題】
【０００６】
本発明は、上記問題点に鑑みなされたものであり、その目的は、二重まぶた形成用テープは、一日中、まつげのすぐ上のまぶたに貼って使用するので、まぶたが疲れ、膨れ上がってしまうという問題点と、まぶたにおいて疲労感と異物感を感じる不快さを解決するとともに、二重まぶた形成用テープを粘着することにより、二重まぶたのラインを人工的に作ったことを目立たせることに対する使用者が感じられる恥しさを解消することができる二重まぶたしわ形成用テープを提供することにある。
【課題を解決するための手段】
【０００７】
上述した目的を達成するために、本発明による二重まぶたしわ形成用テープは、睡眠中にのみ粘着し、朝に剥がし、形成された二重まぶたが一日中維持されるように、第１のテープ及び第２のテープと２つの「ｎ」字状の第３のテープとで構成されたものである。
【発明の効果】
【０００８】
本発明によれば、睡眠中にのみ粘着し、朝に剥がし、形成された二重まぶたが一日中維持されるようにする、第１のテープ及び第２のテープと２つの「ｎ」字状のテープとで構成され、従来の二重まぶたテープのように、製品を粘着した状態で生活しなくてもよく、異物感が感じられなく、二重まぶたの形成が長期化し、生まれつき二重まぶたのように、自然な二重まぶたを演出することができるという長所がある。
【図面の簡単な説明】
【０００９】
【図１】本発明による二重まぶたしわ形成用テープを示す詳細図であって、図１Ａは、第１のテープ及び第２のテープであり、図１Ｂは、第３のテープである。
【図２】本発明による第１のテープ及び第２のテープの使用状態図である。
【図３】本発明による第３のテープの使用状態図である。
【図４】本発明による二重まぶたしわ形成用テープを用いる側断面状態図である。
【発明を実施するための形態】
【００１０】
本発明は、左右側用の第１のテープ１及び第２のテープ２と、前記第１のテープ１及び第２のテープ２の上部に粘着される２つのｎ字状の第３のテープ３とで構成され、前記ｎ字状の第３のテープ３は、ｎ字状で、第１のテープ１及び第２のテープ２の上部に位置され、裏面に接着剤が塗布された第３のテープ上部５と、目の両側面の外側に位置され、裏面に接着剤が塗布されていない第３のテープ中間部６と、下側まぶた１３の下部に粘着され、裏面に接着剤が塗布された第３のテープ下部４、７と、で構成された二重まぶたしわ形成用テープにおける、「ｎ」字状の第３のテープ３は、作られた二重まぶたのラインを「ｎ」字状を有する第３のテープ３を用いて、第１のテープ１及び第２のテープ２の上部に固定させ、第３のテープは、睡眠中、二重まぶたの形状が維持され、皮膚が、作られた二重まぶたのラインを記憶するようにする。
【００１１】
上述した目的を達成するために、本発明は、左右側用の第１のテープ１、第２のテープ２と、前記第１のテープ１及び第２のテープ２の上部に粘着される２つの「ｎ」字状の第３のテープ３とで構成された二重まぶたしわ形成用のテープに関する。
【００１２】
本発明における裏面に接着剤が塗布された第１のテープ１と第２のテープ２は、それぞれ右目と左目に二重まぶたのラインを形成し、「ｎ」字状の第３のテープ３は、第１のテープ１及び第２のテープ２で作られたラインの上にまぶたが覆われながら固定させるためのものであり、第１のテープ１及び第２のテープ２により二重まぶたのラインを作った後、第３のテープ３により、上側まぶたを引っ張って固定させることにより、皮膚がこの形状を記憶して維持するように役立つ役割をする。
【００１３】
より具体的には、「ｎ」字状の第３のテープ３は、作られた二重まぶたのラインを、「ｎ」字状を有する第３のテープ３を用いて、第１のテープ１及び第２のテープ２の上部に固定させ、第３のテープ３は、睡眠中、二重まぶたの形状が維持され、皮膚が、作られた二重まぶたのラインを記憶するようにする。
【００１４】
第１のテープ１、第２のテープ２、及び、第３のテープ３のテープを除去した後は、二重まぶたのラインが形成されることにより、既存の二重まぶた手術や二重まぶたテープを用いなくても、容易に二重まぶたを作るようにする美容を目的とする。
【００１５】
図１Ａの第１のテープ１は、右目の二重まぶたのラインを作るためのものであり、１ａの最も高い部分と１ｄの最も低い部分との間の幅は、４〜５ｍｍ程度である。
第２のテープ２は、第１のテープ１と同一の形状が対称に形成され、左目の二重まぶたのラインを形成するためのものであり、２ａの最も高い部分と２ｄの最も低い部分との幅は、４〜５ｍｍ程度である。
【００１６】
本発明における第１のテープ１と第２のテープ２が４〜５ｍｍ程度の幅が必要な理由は、第３のテープ３から見られるように、第３のテープ３の第３のテープ上部５が、第１のテープ１または第２のテープ２により作られた二重まぶたのラインを固定させ、平らに粘着され得る空間を作るためである。
第１のテープ１と第２のテープ２の表面は、平らかつ滑らかであるほど、第３のテープの上部が粘着されるのにさらに好適な状態であるといえる。
【００１７】
図１Ｂに示すように、第３のテープ３は、三部分に分けられている。
第３のテープ上部５、第３のテープ中間部６、第３テープ下部４、７に分けられ、第３のテープ上部５は、裏面に接着面を有する。
第３のテープ中間部６は、裏面に接着面を有していない。
第３のテープ下部４、７は、裏面に接着面を有する。
【００１８】
以下、添付した図面を参照して、詳述する。
【００１９】
図１は、本発明による二重まぶたしわ形成用テープを示す詳細図であって、図１Ａは、第１のテープ１及び第２のテープ２であり、図１Ｂは、第３のテープ３であり、図２は、本発明による第１のテープ１及び第２のテープ２の使用状態図であり、図３は、本発明による第３のテープ３の使用状態図であり、図４は、本発明による二重まぶたしわ形成用テープを用いる側断面状態図であり、第１のテープ１、第２のテープ２、第３のテープ３、第３のテープ下部４、７、第３のテープ上部５、第３のテープ中間部６、接着台紙９、上側まぶた１１、上側まぶたしわ（二重まぶたしわ）１２、下側まぶた１３、上側まつげ１４、下側まつげ１５を示している。
【００２０】
構造を検討すると、本発明による二重まぶたしわ形成用テープは、左右側用の第１のテープ１及び第２のテープ２と、前記第１のテープ１及び第２のテープ２の上部に粘着される２つの「ｎ」字状の第３のテープ３と、で構成され、前記「ｎ」字状の第３のテープ３は、「ｎ」字状であり、第１のテープ１及び第２のテープ２の上部に位置され、裏面に接着剤が塗布された第３のテープ上部５と、目の両側面の外側に位置され、裏面に接着剤が塗布されていない第３のテープ中間部６と、下側まぶた１３の下部に粘着され、裏面に接着剤が塗布された第３のテープ下部４、７と、で構成された二重まぶたしわ形成用テープの構造である。
【００２１】
本発明による二重まぶたしわ形成用テープを用いて、二重まぶたのラインを形成させる方法は、図２Ａにおける左目の上側まぶた１１と下側まぶた１３は、オイルやクリーム等を除去し、異物のない綺麗な状態でなければならず（このとき、使用者は、眉を上げ、目の上側まぶた１１が平らで、緊張した状態となるようにする）、接着台紙９から裏面に接着剤が塗布された第２のテープ２を手で持ち、図２Ｂに示すように、第２のテープ２を上側まつげ１４のすぐ上部に貼り始め、図２Ｃに示すように、使用者が眉を上げ、緊張した状態を維持していた上側まぶた１１を元に戻す。
【００２２】
このとき、上側まぶた１１は、第２のテープ２上に垂れ下がりながら折り畳まれ、上側まぶたしわ（二重まぶたしわ）１２を形成し、このとき、二重まぶたのラインが作られるようになる。
【００２３】
次の段階として、上記のように第２のテープ２を目に粘着するのと同様に、眉を、上側まぶたしわ（二重まぶたしわ）１２の輪郭が鮮明になるまで、そっと上げる。
このとき、第２のテープ２で作られたラインが消えるまで上がらないように注意する。
【００２４】
図３Ａに示すように、第３のテープ３を第２のテープ２の上部に貼り、作られた上側まぶたしわ（二重まぶたしわ）１２の上部と第２のテープ２の上に注意して位置させた後、図３Ｂに示すように、第３のテープ上部５の両側端部を、目の上側まぶた１１に平らに粘着し、作られた上側まぶたしわ（二重まぶたしわ）１２と第２のテープ２の上を覆って接着させ、第３のテープ中間部６は、上側まつげ１４と下側まつげ１５の上に位置させ（第３のテープ中間部６は、裏面に接着剤が塗布されていないので、第３のテープ３を除去するとき、上側まつげ１４と下側まつげ１５が中間部に付着したり抜けたりすることが防がれる。）、図３Ｃに示すように、第３のテープ下部４、７を固くプレスし、下側まぶた１３の下部に粘着させ、右目も、裏面に粘着された第１のテープ１を接着台紙９から除去した後、上記のような方法で第３のテープ３を用いて粘着し、朝に起きて、逆順に前記テープを除去して用いる方法である。
【００２５】
前記第１のテープ１、第２のテープ２、及び、第３のテープ３のテープにより形成された上側まぶたしわ（二重まぶたしわ）１２が、一日中、変わらない状態を持続し、二重まぶたにより美しい目を有するようにし、心理的に安定し、幸せを感じるように、二重まぶたのラインを形成して用いる方法である。
【００２６】
このように粘着した側断面状態図が、図４であり、このような状態において、第２のテープ２は、上側まつげ１４のすぐ上部に該当する上側まぶた１１に粘着されている。
眉の緊張を緩和するとき、上側まぶた１１の皮膚は折り畳まれ、第２のテープ２の上に垂れ下がりながら、上側まぶたしわ（二重まぶたしわ）１２を形成する。
【００２７】
第３のテープ３の第３のテープ上部５は、作られた上側まぶたしわ（二重まぶたしわ）１２と、第２のテープ２の露出した部分とに粘着され、作られた上側まぶたしわ（二重まぶたしわ）１２を固定させる。
【００２８】
裏面に接着剤を有していない第３のテープ中間部６は、上側まつげ１４と下側まつげ１５の上に位置される。
第３のテープ下部４、７は、下側に引っ張られて粘着される。
これは、下側まぶた１３と上頬の中間部に該当する。
【産業上の利用可能性】
【００２９】
本発明は、睡眠中にのみ粘着し、朝に引き剥がし、形成された二重まぶたが一日中維持されるようにする、第１のテープ及び第２のテープと２つの「ｎ」字状の第３のテープとで構成され、従来の二重まぶたテープのように、製品を粘着した状態で生活しなくてもよく、異物感を感じない二重まぶたしわ形成用テープに関する。
【図１Ａ】
2016530901.tif 000003
【図１Ｂ】
2016530901.tif 000004
【図２Ａ】
2016530901.tif 000005
【図２Ｂ】
2016530901.tif 000006
【図２Ｃ】
2016530901.tif 000007
【図３Ａ】
2016530901.tif 000008
【図３Ｂ】
2016530901.tif 000009
【図３Ｃ】
2016530901.tif 000010
【図４】
2016530901.tif 000011
【国際調査報告】
2016530901.tif 000012
2016530901.tif 000013
2016530901.tif 000014
2016530901.tif 000015